(57)【要約】【課題】ユーザが認証対象の商品を認識しやすく、かつ手軽に正規品の検査を行うことができる認証結果表示装置、認証結果表示システム及び認証結果表示プログラムを提供する。【解決手段】認証結果表示装置が、取り付けられる製品に対応した製品固有情報及び前記製品固有情報に関連付けられたタグ固有情報を記憶する非接触タグからタグ固有情報を読み出す読み出し部と、読み出し部で読み出されたタグ固有情報に基づいて生成された認証結果画像を表示する表示部と、を備える。認証結果画像は、非接触タグが取り付けられた製品が正規の製品であるか否かの認証の結果を示す認証結果表示情報及び製品の製品画像を含む表示要素を含んで生成される。【選択図】図２
2016218526.tif 000002
【特許請求の範囲】
【請求項１】
取り付けられる製品に対応した製品固有情報及び前記製品固有情報に関連付けられたタグ固有情報を記憶する非接触タグから、前記タグ固有情報を読み出す読み出し部と、
前記読み出し部で読み出された前記タグ固有情報に基づいて前記非接触タグが取り付けられた前記製品が正規の製品であるか否かの認証の結果を示す認証結果表示情報及び前記タグ固有情報に関連付けられた製品画像を含む表示要素を含んで生成された認証結果画像を表示する表示部と、
を備える認証結果表示装置。
【請求項２】
前記認証結果画像において、前記認証結果表示情報と前記製品画像の一部とが重なって表示される請求項１に記載の認証結果表示装置。
【請求項３】
前記認証結果画像において、前記認証結果表示情報が前記製品画像の前面に重なって表示される請求項２に記載の認証結果表示装置。
【請求項４】
前記認証結果画像の前記表示要素が、前記認証を行ったときの状況に応じて変化する認証状況情報及び自端末の端末固有情報のうちの少なくとも一方からなる１又は２以上の付加表示情報をさらに含む、請求項１に記載の認証結果表示装置。
【請求項５】
前記認証結果画像において、前記認証結果表示情報、前記付加表示情報及び前記製品画像のそれぞれの一部が重なって表示される請求項４に記載の認証結果表示装置。
【請求項６】
前記認証結果画像において、前記認証結果表示情報と前記付加表示情報とが重なって表示され、かつ前記認証結果表示情報及び前記付加表示情報が前記製品画像の前面に重なって表示される請求項５に記載の認証結果表示装置。
【請求項７】
前記認証結果画像において、前記認証結果表示情報と前記付加表示情報とが重なって表示された部分及び複数の前記付加表示情報同士が重なって表示された部分の表示色が、前記認証結果表示情報及び前記付加表示情報のそれぞれの表示色とは異なる色で表示される請求項４から６のいずれか一項に記載の認証結果表示装置。
【請求項８】
前記認証結果表示情報と前記付加表示情報とが重なって表示された部分の表示色及び複数の前記付加表示情報同士が重なって表示された部分の表示色が、それぞれ、重なって表示された前記認証結果表示情報及び前記付加表示情報の表示色が合成された色並びに複数の前記付加表示情報の表示色が合成された色である請求項７に記載の認証結果表示装置。
【請求項９】
前記認証状況情報が、前記認証を行った認証日、認証時刻及び認証場所の少なくとも一つを示す情報である請求項４から７のいずれか一項に記載の認証結果表示装置。
【請求項１０】
ユーザの操作により指示を受け付ける操作入力部を備え、
前記表示部は、前記操作入力部から入力されたユーザの指示に基づいて前記表示要素のそれぞれの表示位置又は表示色が決定された前記認証結果画像を表示する請求項１から９のいずれか一項に記載の認証結果表示装置。
【請求項１１】
前記認証の結果に基づいて前記認証結果画像の作成を行うサーバと接続可能な通信部を備え、
前記通信部を介して前記サーバから送信された前記認証結果画像を取得する請求項１から１０のいずれか一項に記載の認証結果表示装置。
【請求項１２】
取り付けられる製品に対応した製品固有情報及び前記製品固有情報に関連付けられたタグ固有情報を記憶する非接触タグと、
前記非接触タグから前記タグ固有情報を読み出す読み出し部と、前記読み出し部で読み出された前記タグ固有情報に基づいて判定した前記非接触タグが取り付けられた前記製品が正規の製品であるか否かの認証の結果を示す認証結果表示情報及び該製品の製品画像を含む表示要素を含む認証結果画像の作成を行う画像作成サーバと、前記画像作成サーバと接続可能な通信部と、前記認証結果画像を表示する表示部と、を備える認証結果表示装置と、
を備える認証結果表示システム。
【請求項１３】
取り付けられる製品に対応した製品固有情報及び前記製品固有情報に関連付けられたタグ固有情報を記憶する非接触タグと、
前記製品固有情報に基づいて前記非接触タグが取り付けられた前記製品が正規の製品であるか否かの認証の判定を行う認証サーバと、
前記認証の結果を含む認証結果画像を表示する認証結果表示装置と、
を備え、
前記認証結果表示装置は、
前記非接触タグから前記タグ固有情報を読み出す読み出し部と、
前記認証サーバと接続可能な通信部と、
前記通信部を介して取得した前記認証の結果に基づいて、前記認証の結果を示す認証結果表示情報及び前記タグ固有情報に関連付けられた製品画像を含む表示要素を含む認証結果画像の作成を行う画像生成部と、
前記認証結果画像を表示する表示部と、
を備える認証結果表示システム。
【請求項１４】
前記タグ固有情報及び前記製品画像の格納アドレスは、互いに関連付けられた製品データとして予め記憶されており、前記読み出し部で読み出された前記タグ固有情報と前記製品データとに基づいて前記認証が行われる請求項１２又は１３に記載の認証結果表示システム。
【請求項１５】
移動通信端末を、
取り付けられる製品に対応した製品固有情報及び前記製品固有情報に関連付けられたタグ固有情報を記憶する非接触タグから、前記タグ固有情報を読み出す読み出し部と、
前記読み出し部で読み出された前記タグ固有情報に基づいて前記非接触タグが取り付けられた前記製品が正規の製品であるか否かの認証の結果を示す認証結果表示情報及び前記タグ固有情報に関連付けられた製品画像を含む表示要素を含んで生成された認証結果画像を表示する表示部
と、
として機能させる認証結果表示プログラム。
【発明の詳細な説明】
【技術分野】
【０００１】
本発明は、認証結果表示装置、認証結果表示システム及び認証結果表示プログラムに関する。
【背景技術】
【０００２】
近年、いわゆるブランド品と呼ばれる高級なイメージが付随する商品だけでなく、工業製品、精密機器等の付加価値の高い商品の偽造品が増加している。偽造品の中には、消費者が正規の商品と区別することが難しいものがある。
このため、偽造品への対策として、ＩＣ（Integrated Circuit：集積回路）チップ（例えばＩＣタグ）を商品に取り付けるケースが増加しており、高性能、高機能で偽造や成りすましが非常に困難なＩＣタグが開発されてきた。
【０００３】
例えば特許文献１に示すように、ＩＣタグには、そのＩＣタグが取り付けられた製品に関する固有情報が記憶されており、ＩＣタグに記憶された固有情報は、ＩＣタグリーダを備えた端末を用いて近距離無線通信により読み取られる。端末は、ＩＣタグから読み取った固有情報に対する認証確認を認証サーバ等に対して行い、その固有情報を記憶するＩＣタグが取り付けられた製品が正規品か否かの判定結果を表示したり、音声出力したりすることができる。
【先行技術文献】
【特許文献】
【０００４】
【特許文献１】特開２０１３−０２５８１６号公報
【発明の概要】
【発明が解決しようとする課題】
【０００５】
また、スマートフォンの普及に伴い、携帯電話にインストール可能な正規品検査用のＵＩ（User Interface）アプリケーション（以下、ＵＩアプリと記載する場合がある）が開発されている。このようなＵＩアプリでは、携帯電話に搭載されたＮＦＣ（Near field communication）リーダ等により商品に取り付けられたＩＣタグから固有情報を読み出して認証サーバ等に対して認証確認を行い、認証結果を携帯電話の表示部に表示させることができる。
【０００６】
しかしながら、上述の方法では、ＩＣタグは認証されたものの、ＩＣタグが取り付けられた製品そのものが正規品であるとは言い切れない。すなわち、低価格の製品に取り付けられた正規品のＩＣタグ（認証されるＩＣタグ）を当該低価格の製品から取り外して偽造品に取り付けることにより、ＩＣタグから読み取った固有情報に基づいて偽造品が正規品であると認証されてしまう。このため、例えば携帯電話にインストールされた正規のＵＩアプリにより正規品検査を行う場合であっても、偽造品を正規品であると判定してしまう。したがって、例えば偽造品の販売者が、偽造ＵＩアプリを使用して消費者に対して正規品であると誤認させ、消費者に対して偽造品を販売するおそれがある。
【０００７】
例えば、ＩＣタグの表面にＩＣタグの固有情報を記載し、ＵＩアプリで表示される検査結果に読み取ったＩＣタグの固有情報が表示されるようにすることで、ＩＣタグの固有情報を確認することもできる。しかしながら、このような場合には、ＩＣタグに記載された固有情報とＩＣタグから読み出された固有情報（ＵＩアプリで表示される検査結果に含まれる固有情報）との一致によって正規品の管理を行うことは困難である。また、ＩＣタグは製品に取り付けられる前のタグシートの段階ではどの製品に取り付けられるかが未定の場合がある。
そこで本発明の一態様は、ユーザが認証対象の商品を認識しやすく、かつ手軽に正規品の検査を行うことができる認証結果表示装置、認証結果表示システム及び認証結果表示プログラムを提供することを目的とする。
【０００８】
上述の課題を解決するために、本発明の一態様に係る認証結果表示装置は、取り付けられる製品に対応した製品固有情報及び前記製品固有情報に関連付けられたタグ固有情報を記憶する非接触タグから、前記タグ固有情報を読み出す読み出し部と、前記読み出し部で読み出された前記タグ固有情報に基づいて前記非接触タグが取り付けられた前記製品が正規の製品であるか否かの認証の結果を示す認証結果表示情報及び前記タグ固有情報に関連付けられた製品画像を含む表示要素を含んで生成された認証結果画像を表示する表示部と、を備えることを特徴とする。
【０００９】
本発明の一態様に係る認証結果表示システムは、取り付けられる製品に対応した製品固有情報及び前記製品固有情報に関連付けられたタグ固有情報を記憶する非接触タグと、前記非接触タグから前記タグ固有情報を読み出す読み出し部と、前記読み出し部で読み出された前記タグ固有情報に基づいて判定した前記非接触タグが取り付けられた前記製品が正規の製品であるか否かの認証の結果を示す認証結果表示情報及び前記タグ固有情報に関連付けられた製品画像を含む表示要素を含む認証結果画像の作成を行う画像作成サーバと、前記画像作成サーバと接続可能な通信部と、前記認証結果画像を表示する表示部と、を備える認証結果表示装置と、を備えることを特徴とする。
【００１０】
また、本発明の他の態様に係る認証結果表示システムは、取り付けられる製品に対応した製品固有情報及び前記製品固有情報に関連付けられたタグ固有情報を記憶する非接触タグと、前記製品固有情報に基づいて前記非接触タグが取り付けられた前記製品が正規の製品であるか否かの認証の判定を行う認証サーバと、前記認証の結果を含む認証結果画像を表示する認証結果表示装置と、を備え、前記認証結果表示装置は、前記非接触タグから前記タグ固有情報を読み出す読み出し部と、前記認証サーバと接続可能な通信部と、前記通信部を介して取得した前記認証の結果に基づいて、前記認証の結果を示す認証結果表示情報及び前記タグ固有情報に関連付けられた製品画像を含む表示要素を含む認証結果画像の作成を行う画像生成部と、前記認証結果画像を表示する表示部と、を備えることを特徴とする。
【００１１】
上述の課題を解決するために、本発明の一態様に係る認証結果表示プログラムは、移動通信端末を、取り付けられる製品に対応した製品固有情報及び前記製品固有情報に関連付けられたタグ固有情報を記憶する非接触タグから前記タグ固有情報を読み出す読み出し部と、前記読み出し部で読み出された前記タグ固有情報に基づいて前記非接触タグが取り付けられた前記製品が正規の製品であるか否かの認証の結果を示す認証結果表示情報及び前記タグ固有情報に関連付けられた製品画像を含む表示要素を含んで生成された認証結果画像を表示する表示部と、として機能させる
ことを特徴とする。
【発明の効果】
【００１２】
本発明の一態様によれば、ユーザが認証対象の商品を認識しやすく、かつ手軽に正規品の検査を行うことができる。
【図面の簡単な説明】
【００１３】
【図１】本発明の一実施形態における認証結果表示システムの機能を説明するための機能ブロック図である。
【図２】本発明の一実施形態における移動通信端末の表示部に表示された認証結果画像の第１の例を示す模式図である。
【図３】本発明の一実施形態における移動通信端末の表示部に表示された認証結果画像の第２の例を示す模式図である。
【図４】本発明の一実施形態における移動通信端末の表示部に表示された認証結果画像の第３の例を示す模式図である。
【図５】本発明の一実施形態における移動通信端末の表示部に表示された認証結果画像の第４の例を示す模式図である。
【図６】本発明の一実施形態における認証結果表示システムにおいて、製品データを登録する際の動作を示すシーケンスチャートである。
【図７】本発明の一実施形態における認証結果表示システムにおいて登録されるデータを示す図である。
【図８】本発明の一実施形態における認証結果表示システムにおいて、製品の認証動作を示すシーケンスチャートである。
【図９】本発明の一実施形態における認証結果表示システムにおいて、認証結果画像の生成方法を示すフローチャートである。
【図１０】本発明の一実施形態における認証結果表示システムにおいて、認証結果画像の加工方法を示すフローチャートである。
【図１１】本発明の一実施形態における認証結果表示システムにおいて登録されるデータを示す図である。
【図１２】本発明の他の実施形態における認証結果表示システムの機能を説明するための機能ブロック図である。
【図１３】本発明の他の実施形態における認証結果表示システムにおいて、製品の認証動作を示すシーケンスチャートである。
【発明を実施するための形態】
【００１４】
以下、図１から図１３を参照して、本発明に係る認証結果表示装置、認証結果表示システム及び認証結果表示プログラムの第１の実施形態及び第２の実施形態について説明する。
＜＜第１の実施形態＞＞
図１から図１１を参照して、第１の実施形態を説明する。
第１の実施形態では、非接触タグから読み取った情報に基づいて製品の認証を行った際に、認証結果画像が、認証結果表示装置外の画像サーバから取得した製品画像を含んで生成され、認証結果表示装置で表示される構成について説明する。
【００１５】
第１の実施形態では、非接触タグとしてＲＦＩＤ（Radio Frequency IDentifier）タグを用い、ＲＦＩＤ技術により電波（電磁誘導）による近距離無線通信を利用したＲＦＩＤタグへの情報の書き込み及び読み出し行なう。また、第１の実施形態では、認証結果表示装置として、認証結果表示プログラムである認証判定用のＵＩアプリがインストールされた携帯電話等の移動通信端末を用いる。さらに、第１の実施形態では、認証結果表示装置外の認証サーバにおいて、製品の認証及び認証結果画像の生成の双方を行う構成とする。
【００１６】
＜認証結果表示システムの構成＞
図１は、第１の実施形態における認証結果表示システム１の機能を説明するための機能ブロック図である。認証結果表示システム１は、図示しない製品に取り付けられるＲＦＩＤタグ１０と、製品の認証の結果を示す認証結果表示情報を含む認証結果画像を表示する移動通信端末２０と、製品の認証を行う認証サーバ３０と、認証結果画像の生成を行う画像サーバ４０と、を備えている。
【００１７】
（ＲＦＩＤタグ）
ＲＦＩＤタグ１０は、各ＲＦＩＤタグ１０固有のタグ固有情報（以下、ＵＩＤと記載する場合がある）を記憶している。タグ固有情報は、例えばＲＦＩＤタグ１０の製造業者によって書きこまれる。また、ＲＦＩＤタグ１０は、ＲＦＩＤタグ１０が取り付けられる製品に対応した製品固有情報及び製品固有情報や認証に必要な認証用パラメータを含むＲＦＩＤデータを記憶している。ＲＦＩＤデータは、例えば製品の製造業者によって書き込まれる。
【００１８】
ＲＦＩＤタグ１０は、例えば、ＲＦＩＤタグ１０が取り付けられる製品の製造業者によって製品に取り付けられる。また、ＲＦＩＤタグ１０に記憶されたタグ固有情報及びＲＦＩＤデータは、製造業者等によって図示しないＲＦＩＤリーダで読み出され、互いに関連付けられて認証サーバ３０の製品データベース（詳細は後述する）３３に記憶される。さらに、タグ固有情報は、製品を販売する販売者や製品を購入した消費者によって、移動通信端末２０で読み出される。
【００１９】
ＲＦＩＤタグ１０は、図示しない通信部、記憶部、給電部及び制御部を備えている。給電部は、ＲＦＩＤリーダやＲＦＩＤライタからの電波で発生した起電力によってＲＦＩＤタグ１０内の回路に電力を供給する。このため、ＲＦＩＤリーダ／ライタ機能を有する端末による近距離無線通信を利用して、ＲＦＩＤタグ１０の記憶部にタグ固有情報及びＲＦＩＤデータが非接触で書き込まれ、記憶されたタグ固有情報及びＲＦＩＤデータが非接触で読み出される。
【００２０】
（移動通信端末）
移動通信端末２０は、例えばスマートフォン等の携帯電話端末であり、ＲＦＩＤリーダ２１と、通信部２２と、操作入力部２３と、表示部２４と、時計部２５と、位置検出部２６と、記憶部２７と、制御部２８とを備えている。
【００２１】
ＲＦＩＤリーダ２１は、ＲＦＩＤタグ１０との間で無線通信を行うインタフェースであり、ＲＦＩＤタグ１０に記憶されたタグ固有情報を非接触で読み出す読み出し部である。
通信部２２は、ネットワークを介して認証サーバ３０、画像サーバ４０及び図示しない移動通信網の基地局と接続されるインタフェースである。移動通信網の基地局としては、ＬＴＥ（Long Term Evolution）網における無線基地局（ｅＮｏｄｅＢ：evolved Node B）や、３Ｇ網における無線基地局（ＢＴＳ：Base Transceiver Station）／無線ネットワーク制御局（ＲＮＣ：Radio Network Controller）等が挙げられる。
【００２２】
操作入力部２３は、例えばボタンやタッチパネルであり、ユーザの操作により指示を受け付ける。具体的には、表示部２４に表示された認証判定用のＵＩアプリの起動操作や操作画面での操作を受け付ける。操作入力部２３では、ＵＩアプリ画面上で指示を行うことにより、ユーザの希望に沿って認証結果画像における表示要素や各表示要素の表示位置等の指示を入力することができる。
【００２３】
表示部２４は、例えば液晶ディスプレイ（Liquid Crystal Display：ＬＣＤ）であり、製品に対する認証結果である認証結果画像を表示する。また、表示部２４は、移動通信端末２０にインストールされた認証判定用のＵＩアプリの操作画面や、移動通信端末２０のその他の機能の操作のための操作画面を表示する。
なお、移動通信端末２０は、操作入力部２３及び表示部２４が一体化されたタッチパネルを備えていてもよい。
【００２４】
時計部２５は、時計機能を有している。時計部２５は、通信部２２が図示しない移動通信網の基地局から受信した、時刻情報（時分秒並びに日付及び曜日）が重畳された制御信号に基づいて時刻情報を更新する。時計部２５により、例えば製品の認証を行った際の認証日及び認証時間を移動通信端末２０内で検出することができる。
位置検出部２６は、例えばＧＰＳ（Global Positioning System）により、又は通信部２２を介した折り返し測位方式（ＴＡ測位方式）等を用いた基地局測位により、移動通信端末２０の現在位置を検出する。位置検出部２６により、製品の認証を行った際の認証場所を検出することができる。
【００２５】
制御部２８は、操作入力部２３で受け付けた操作に基づいて、ＲＦＩＤリーダ２１、通信部２２、操作入力部２３、表示部２４及び記憶部２７、並びに図示しない他の機能部の動作を制御する。
記憶部２７は、例えば半導体メモリにより構成される。また、記憶部２７には、移動通信端末２０に差し込まれたＳＩＭカード（Subscriber Identity Module Card）等の外部記憶媒体も含むものとする。
【００２６】
記憶部２７は、移動通信端末２０を動作させるために必要な情報やプログラムが格納される。また、記憶部２７には、移動通信端末２０（自端末）固有の端末固有情報が記憶されている。端末固有情報としては、例えば移動体識別番号（ＩＭＥＩ：International Mobile Equipment Identit）が記憶されている。さらに、記憶部２７（ＳＩＭカード）には、ＳＩＭカードに固有の識別番号であるＩＣＣＩＤ（IC Card IDentifier）が記憶されている。また、記憶部２７（ＳＩＭカード）には、電話番号（ＭＳＩＳＤＮ：Mobile Subscriber Integrated Services Digital Network Number）を含む加入者識別番号（ＩＭＳＩ：International Mobile Subscriber Identity）が格納されている。すなわち、記憶部２７には、端末固有情報として、移動体識別番号やＩＣＣＩＤ、電話番号が記憶されている。
【００２７】
（画像サーバ）
画像サーバ４０は、通信部４１と、画像データベース（以下、画像ＤＢと記載する場合がある）４２と、制御部４３とを備えている。
通信部４１は、ネットワークを介して移動通信端末２０及び認証サーバ３０と接続されるインタフェースである。
【００２８】
画像データベース（ＤＢ）４２は、製品画像の画像データとその格納アドレスとを関連付けて記憶している。画像データベース（ＤＢ）４２に記憶された製品画像の画像データは、認証サーバ３０からの取得要求に応じて認証サーバ３０に送信される。
製品画像の画像データが画像データベース（ＤＢ）４２に記憶されていることにより、移動通信端末２０内に認証結果画像またはその素材が記憶される必要がないため、移動通信端末２０から認証結果画像またはその素材が抜き出されることがない。
制御部４３は、通信部４１及び画像データベース（ＤＢ）４２、並びに図示しない他の機能部の動作を制御する。
【００２９】
（認証サーバ）
認証サーバ３０は、通信部３１と、認証判定部３２と、製品データベース（以下、製品ＤＢと記載する場合がある）３３と、制御部３４とを備えている。
通信部３１は、ネットワークを介して移動通信端末２０及び画像サーバ４０と接続されるインタフェースである。
【００３０】
製品データベース３３は、少なくとも、ＲＦＩＤタグ１０のタグ固有情報（ＵＩＤ）と、当該ＲＦＩＤタグ１０が取り付けられた製品の画像データの格納アドレスとが関連付けられた製品データを記憶する。また、製品データベース３３は、上述した画像データの格納アドレスの他に、タグ固有情報（ＵＩＤ）に対して認証用パラメータや製品固有情報（ＲＦＩＤデータ）を関連付けた製品データを記憶する。
【００３１】
さらに、製品データベース３３は、さらに認証結果画像加工用の認証結果表示情報（例えば「ＯＫ」や「ＮＧ」等）の画像データ、認証場所を示すランドマークの画像データ、日付、時刻を表示するための数字画像及び認証結果画像の背景となる画像の画像データ等の認証結果画像の合成に必要な画像データを記憶している。
製品データベース３３に認証結果画像加工用の各画像が記憶されていることにより、移動通信端末２０内に認証結果画像が記憶されないため、移動通信端末２０から認証結果画像が抜き出されることがない。
【００３２】
制御部３４は、通信部３１、認証判定部３２及び製品データベース３３、並びに図示しない他の機能部の動作を制御する。
認証判定部３２は、認証部３２１と画像生成部３２２とを備える。
認証部３２１は、移動通信端末２０のＲＦＩＤリーダ２１で読み出されたＲＦＩＤタグ１０のタグ固有情報に基づいて、ＲＦＩＤタグ１０が取り付けられた製品が正規の製品であるか否かの認証判定を行う。認証部３２１は、ＲＦＩＤリーダ２１で読み出されたＲＦＩＤタグ１０のタグ固有情報に対応するＲＦＩＤデータの認証用パラメータに基づいてＲＦＩＤタグ１０の認証判定を行う。
【００３３】
例えば、認証部３２１は、ＲＦＩＤリーダ２１で読み出されたＲＦＩＤタグ１０のタグ固有情報に対応する製品データ（認証用パラメータ）や画像データの格納アドレスが製品データベース３３に記憶されていない場合には、認証ＮＧと判断する。また、認証部３２１は、ＲＦＩＤリーダ２１で読み出されたＲＦＩＤタグ１０のタグ固有情報に対応する製品データが製品データベース３３に記憶されている場合には、乱数を生成し、ＲＦＩＤタグ１０に送信する。
【００３４】
認証部３２１は、生成した乱数を用いて所定の演算を行い、第１の演算結果を得る。また、認証部３２１は、ＲＦＩＤタグ１０に対して生成した乱数を送信し、ＲＦＩＤタグ１０から乱数を用いて行った所定の演算の演算結果である第２の演算結果を得る。認証部３２１は、第１の演算結果と第２の演算結果との照合を行い、認証判定を行う。
画像生成部３２２は、認証部３２１の判定結果に基づき、少なくとも認証結果表示情報及び製品画像を含む認証結果画像を生成する。なお、「認証結果画像」とは、製品が認証された場合の「認証ＯＫ画像」及び製品が認証されなかった場合の「認証ＮＧ画像」の何れも示している。認証結果画像の生成については後述する。
【００３５】
（認証結果画像）
認証サーバ３０の画像生成部３２２が生成する認証結果画像は、表示要素として、認証結果表示情報と製品画像とを含む画像である。認証結果表示情報は、ＲＦＩＤリーダ２１で読み出されたタグ固有情報に基づいてＲＦＩＤタグ１０が取り付けられた製品が正規の製品であるか否かの認証結果（認証ＯＫ又は認証ＮＧ）を示す。製品画像は、ＲＦＩＤリーダ２１で読み出されたタグ固有情報に関連付けられている製品画像である。製品画像としては、製品の全体画像の他、製品の一部分の拡大画像等であってもよい。製品画像が製品の一部分の拡大画像である場合には、偽造品との見分けの際に着目される製品の一部分の拡大画像であることが好ましい。
【００３６】
また、画像生成部３２２が生成する認証結果画像は、表示要素として、さらに１又は２以上の付加表示情報を含んでいてもよい。付加表示情報は、認証結果表示情報及び製品画像に付加して表示される情報であり、製品の認証を行ったときの状況に応じて変化する情報を含んでいる。付加表示情報は、例えば認証時の状況を示す認証日、認証時間及び認証場所等の認証状況情報や認証を行った移動通信端末２０の端末固有情報のうちの少なくとも１つである。認証場所は、実際の地名を示す文字画像や、認証場所に関連するランドマークの画像等で示される。また、付加表示情報は、認証日に基づいて判断される曜日や認証場所に基づいて判断される認証場所の天候等の情報であってもよい。この場合、認証結果画像は、認証結果表示情報及び製品画像と１又は２以上の付加表示情報とを含んでいる。
【００３７】
さらに、認証結果画像は、付加表示情報として、例えば認証を行った製品についての詳細情報や、カタログ画像を含むようにしてもよい。製品についての詳細情報としては、例えば認証を行った製品のリコール情報や各種賞の受賞歴等が挙げられる。
付加表示情報としてリコール情報を含む場合には、例えば、製品の外観写真とリコール情報とが含まれる画像を製品画像として画像サーバ４０に登録することができる。
【００３８】
これにより、例えば、正規品に取り付けられたＲＦＩＤタグ１０が正規品から取り外され、このＲＦＩＤタグ１０が他の製品に取り付けられた場合、認証結果画像に表示される製品画像とＲＦＩＤタグ１０が取り付けられている製品のデザインとが異なる。このため、認証結果画像中に「認証ＯＫ」等の認証結果表示情報が表示されても、認証結果画像中の製品画像と実際にＲＦＩＤタグ１０が取り付けられた製品の外観とが異なる場合、消費者に認証対象の製品が本来のＲＦＩＤタグ１０が取り付けられるべき製品とは異なることを容易に認識させることができる。
【００３９】
すなわち、上述した「他の製品」が実際には他の正規の製品であった場合でも、この他の正規の製品に対応付けられたＲＦＩＤタグ１０が取り付けられていないため、消費者にはこの製品が正規品であるか否かの判断ができない。これは、認証結果表示情報が、ＲＦＩＤタグ１０が正規のタグであるかの結果を示すものであるためである。このため、認証結果表示情報とともにＲＦＩＤタグ１０が取り付けられるべき製品の製品画像を表示することにより、認証の対象製品を明確にすることができる。そして、消費者は、認証結果画像中の製品画像に基づいて認証した対象の製品を認識し、所定の製品に対しての認証がなされているかを判断することができる。
【００４０】
また、上述した「他の製品」が偽造品であった場合、認証結果画像中の製品画像が偽造品の外観とも似ている場合がある。このため、特に偽造されやすい製品に取り付けられたＲＦＩＤタグ１０の認証結果画像には、製品画像として偽造品との見分けの際に着目される製品の一部分の拡大画像を表示することが好ましい。これにより、消費者はＲＦＩＤタグ１０が取り付けられている製品が正規品でないと判断することができる。
【００４１】
以下、画像生成部３２２で生成される認証結果画像について、より詳細に説明する。
（認証結果画像）
以下、画像生成部３２２で生成される認証結果画像について、図２から図５を用いて説明する。
【００４２】
画像生成部３２２が生成する認証結果画像は、表示要素として少なくとも認証結果表示情報と製品画像とを含む画像である。認証結果表示情報は、ＲＦＩＤリーダ２１で読み出されたタグ固有情報に基づいてＲＦＩＤタグ１０が取り付けられた製品が正規の製品であるか否かの認証結果（認証ＯＫ又は認証ＮＧ）を示す。製品画像は、製品の全体画像又は製品の一部分の拡大画像等である。
【００４３】
また、画像生成部３２２が生成する認証結果画像は、認証結果表示情報及び製品画像に加えて、付加表示情報を含む画像であってもよい。付加表示情報は、認証結果表示情報に付加して表示される情報であり、製品の認証を行ったときの状況に応じて変化する情報を含んでいる。付加表示情報は、認証時の状況を示す認証状況情報及び認証を行った移動通信端末２０の端末固有情報のうちの少なくとも一方からなる１又は２以上の情報である。
【００４４】
上述の認証結果画像では、認証結果表示情報と製品画像の一部とが重なって表示されてもよい。このとき、認証結果画像において、認証結果表示情報が製品画像の前面に重なって表示されることが好ましい。
また、認証結果画像は、表示要素として１又は２以上の付加表示情報をさらに含んでいてもよい。この場合、認証結果画像において、認証結果表示情報、付加表示情報及び製品画像のそれぞれの一部が重なって表示されていてもよい。このとき、認証結果画像において、認証結果表示情報と付加表示情報とが重なって表示され、かつ認証結果表示情報及び付加表示情報が製品画像の前面に重なって表示されることが好ましい。また、認証結果表示情報と付加表示情報とは、何れが前面となるように配置されていてもよい。
【００４５】
また、認証ＮＧを示す認証結果画像は、製品画像を含まなくともよい。認証ＮＧを示す認証結果画像は、製品画像を含まなくとも消費者に偽造品を正規品と誤認させることがないためである。
認証結果画像に表示する認証結果表示情報及び製品画像、並びに付加表示情報の各表示要素は、操作入力部２３から入力されたユーザの指示に基づいて選択、表示位置の決定、表示色の決定及び画面動作の決定等されてもよい。なお、製品画像は表示色を選択不可とすることが好ましい。製品の外観を確実に表示するためである。
また、認証結果画像に付加表示情報が含まれる場合、付加表示情報も同様に操作入力部２３で受け付けられたユーザの指示に基づいて選択、配置の決定、表示色の決定及び画面動作の決定等されてもよい。
【００４６】
例えば、ユーザが操作入力部２３で表示要素を選択した場合、認証結果画像には選択された表示要素が表示される。また、ユーザが操作入力部２３で表示要素の表示位置を指定した場合、認証結果画像の指定の位置に指定された表示要素がそれぞれ表示される。さらに、ユーザが操作入力部２３で表示色を選択した場合、認証結果画像中の文字画像等（製品画像を除く）が指定の表示色で表示される。さらに、ユーザが操作入力部２３で２以上の表示要素が重なって表示された部分の表示色の決定方法を選択した場合、認証結果画像中の製品画像を除く表示要素は、選択された方法で決定された表示色で表示される。具体的には、重なって表示された製品画像を除く各表示要素の表示色を各表示要素の合成色とする場合（詳しくは後述する）には、ユーザが操作入力部２３で選択した合成色の決定方法に従って当該表示色（合成色）が決定される。さらに、ユーザが操作入力部２３で選択した画面動作に従い、例えば認証結果画像の通常画像と反転画像とを交互に出力させる場合には、認証結果画像の反転画像が作成される。
【００４７】
以下、図２から図５を参照して認証結果画像の具体例について説明する。
［認証結果画像の第１の例］
図２は、移動通信端末２０の表示部２４に表示される認証結果画像の第１の例である認証結果画像５１を示す模式図である。認証結果画像５１は、背景５１ｂと、「ＯＫ」と示された認証結果表示情報５１ａと、背景５１ｂの下の位置に表示された製品画像５１ｃとを表示要素として含んでいる。
【００４８】
正規のＵＩアプリにおいて図２に示す認証結果画像５１を表示することにより、消費者は、ＵＩアプリを用いて認証を行った認証結果及び認証した対象の製品を容易に判断することができる。このため、正規の製品からＲＦＩＤタグ１０が取り外され、他の製品（特に偽造品）に取り付けられた場合でも、消費者が正規品ではないと判断することができる。
【００４９】
また、製品画像はそれぞれの製品によって異なるため、認証結果画像をキャプチャしたキャプチャ画像をそのまま利用して偽造ＵＩアプリを作成することが困難となる。偽造ＵＩアプリを作成する場合でも、認証結果画像から製品画像を削除して認証結果表示情報のみが表示された画像を作成する必要がある。このため、偽造ＵＩアプリの作成に手間がかかり、正規のＵＩアプリの偽造が困難となる。
【００５０】
［認証結果画像の第２の例］
図３は、移動通信端末２０の表示部２４に表示される認証結果画像の第２の例である認証結果画像５２を示す模式図である。認証結果画像５２は、背景５２ｂと、「ＯＫ」と示された認証結果表示情報５２ａと、製品画像５２ｃとを表示要素として含んでいる。また、認証結果画像５２は、認証結果表示情報５２ａ及び製品画像５２ｃのそれぞれの一部が重なって表示されている。特に、図３に示す認証結果画像５２では、認証結果表示情報５２ａが製品画像５２ｃの前面に重なって表示されている。
【００５１】
正規のＵＩアプリにおいて図３に示す認証結果画像５２を表示することにより、消費者は、ＵＩアプリを用いて認証を行った認証結果及び認証した対象の製品を容易に判断することができる。また、認証結果画像をキャプチャしたキャプチャ画像をそのまま利用して偽造ＵＩアプリを作成することが困難となる。偽造ＵＩアプリを作成する場合、認証結果画像から製品画像を削除して認証結果表示情報のみが表示された画像を作成する必要がある。また、偽造ＵＩアプリを用いて製品の認証を行う場合、認証結果画像を作成するためには、背景５２ｂに対応する背景と、認証結果表示情報５２ａに対応する認証結果表示情報とを別に準備する必要がある。さらに、製品ごとに製品画像を取得する必要があるが、製品画像５３ｃを各製品ごとに準備するのは困難である。そして、背景の前面に製品画像を配置し、製品画像の前面に認証結果表示情報を配置する画像加工を認証ごとに行う必要がある。このため、偽造ＵＩアプリの作成に手間がかかり、正規のＵＩアプリの偽造がより困難となる。
【００５２】
［認証結果画像の第３の例］
図４は、移動通信端末２０の表示部２４に表示される認証結果画像の第３の例である認証結果画像５３を示す模式図である。認証結果画像５３は、背景５３ｂと、「ＯＫ」と示された認証結果表示情報５３ａと、製品画像５３ｃと、「０３−ＭＡＲ−２０１５」と示された認証日５３ｄと、「０９０−１２３４−５６７８」と示された電話番号４３ｅとを含んでいる。また、認証結果画像５３は、認証結果表示情報５３ａと付加表示情報である認証日５３ｄ及び電話番号４３ｅのそれぞれの一部とが重なって表示されている。特に、図４に示す認証結果画像５３では、認証結果表示情報５３ａが製品画像５３ｃの前面に重なって表示され、付加表示情報（認証日５３ｄ及び電話番号４３ｅ）が認証結果表示情報５３ａの前面に重なって表示されている。
【００５３】
正規のＵＩアプリにおいて図４に示す認証結果画像５３を表示することにより、消費者は、ＵＩアプリを用いて認証を行った認証結果及び認証した対象の製品を容易に判断することができる。また、認証結果画像をキャプチャしたキャプチャ画像をそのまま利用して偽造ＵＩアプリを作成することが困難となる。偽造ＵＩアプリを作成する場合、認証結果画像から製品画像のみでなく付加表示情報を削除して認証結果表示情報のみが表示された画像を作成する必要がある。認証結果画像５３では、認証結果表示情報５３ａの一部（付加表示情報と重なっている部分）の画像の輪郭が不明である。このため、認証結果画像５３から製品画像５３ｃ及び付加表示情報（認証日５３ｄ及び電話番号５３ｅ）の画像を削除しても、認証結果表示情報５３ａを復元することが困難である。また、製品画像５３ｃを各製品ごとに準備するのは困難である。このため、偽造ＵＩアプリの作成に手間がかかり、正規のＵＩアプリの偽造がさらに困難となる。
なお、認証結果画像５３において、製品画像５３ｃの前面に付加表示情報（認証日５３ｄ及び電話番号５３ｅ）が表示され、付加表示情報（認証日５３ｄ及び電話番号５３ｅ）の前面に認証結果表示情報５３ａが表示されるようにしてもよい。
【００５４】
［認証結果画像の第４の例］
図５は、移動通信端末２０の表示部２４に表示される認証結果画像の第４の例である認証結果画像５４を示す模式図である。認証結果画像５４は、背景５４ｂと、製品画像５４ｃと、「ＯＫ」と示された認証結果表示情報５４ａと、「０３−ＭＡＲ−２０１５」と示された認証日５４ｄと、「０９０−１２３４−５６７８」と示された電話番号５４ｅとを含んでいる。また、認証結果画像５４は、認証結果表示情報５４ａと付加表示情報である認証日５４ｄ及び電話番号５４ｅのそれぞれの一部とが重なって表示されている。
【００５５】
特に、図５に示す認証結果画像５４では、認証結果表示情報５４ａと付加表示情報（認証日５４ｄ及び電話番号５４ｅ）とが重なって表示された部分の表示色が、認証結果表示情報５４ａ及び付加表示情報（認証日５４ｄ及び電話番号５４ｅ）のそれぞれの表示色とは異なる色で表示されている。
そして、上述した、重なって表示された部分の表示色は、重なって表示された各表示要素の表示色同士が合成された色で表示されている。例えば、認証結果表示情報５４ａと認証日５４ｄとが重なって表示された部分の表示色は、認証結果表示情報５４ａの表示色と認証日５４ｄの表示色とが合成された色である。また、付加表示情報同士（認証日５４ｄ及び電話番号５４ｅ）が重なって表示された部分の表示色は、認証日５４ｄ及び電話番号５４ｅのそれぞれの表示色が合成された色で表示されている。これにより、より偽造されにくい認証結果画像５４を得ることができる。
【００５６】
また、合成された色は、赤（Ｒ）、緑（Ｇ）、青（Ｂ）の光の三原色を組み合わせる加法混色やシアン（Ｃ）、マゼンタ（Ｍ）、イエロー（Ｙ）の色材の三原色を組み合わせる減法混色による合成色とされる。これにより、ユーザが合成色に対して違和感を覚えることがない認証結果画像５４が生成される。例えば、赤（Ｒ）で表示された文字と青（Ｂ）で表示された文字との一部が重なっている場合、当該重なっている一部はマゼンタ（Ｍ）で表示される。
【００５７】
また、合成された色は、独自の合成アルゴリズムによって決定された合成色であってもよい。独自の合成アルゴリズムの一例として、例えば、赤（Ｒ）で表示された文字と青（Ｂ）で表示された文字が重なる部分は、赤（Ｒ）と青（Ｂ）との合成色であるマゼンタ（Ｍ）の補色である緑（Ｇ）で表示するような規則を有する合成色の決定方法が挙げられる。
認証結果画像５４は、少なくとも、認証結果表示情報５４ａ、付加表示情報（認証日５４ｄ及び電話番号５４ｅ）並びに認証結果表示情報５４ａ及び付加表示情報が重なる部分が全て同一のレイヤーとなるように画像が加工される。
【００５８】
正規のＵＩアプリにおいて図５に示す認証結果画像５４を表示することにより、消費者は、ＵＩアプリを用いて認証を行った認証結果及び認証した対象の製品を容易に判断することができる。また、認証結果画像をキャプチャしたキャプチャ画像をそのまま利用して偽造ＵＩアプリを作成することが困難となる。また、認証結果表示情報５４ａや付加表示情報（認証日５４ｄ及び電話番号５４ｅ）の一部の表示色が変更されるため、認証結果画像５４から認証結果表示情報５４ａを示す画像のみを復元することは困難である。このため、偽造ＵＩアプリの作成に手間がかかり、正規のＵＩアプリの偽造がさらに困難となる。
【００５９】
＜認証結果表示システムの動作＞
以下、図６から図９を参照して、認証結果表示システム１の動作について説明する。
（ＲＦＩＤタグ登録動作）
図６は、認証結果表示システム１において、製品の認証動作を行うにあたって製品データを登録する際の動作を示すシーケンスチャートである。まず、図６に示すＲＦＩＤタグ１０の登録フェーズ１００について説明する。
図６に示すように、ＲＦＩＤタグ１０にＲＦＩＤタグ１０を取り付ける製品の製品固有情報や認証に必要な認証用パラメータを含むＲＦＩＤデータを書き込む（ステップＳ１０１）。ＲＦＩＤデータの書き込みは、製品に取り付ける前のＲＦＩＤタグ１０に対して行ってもよいし、製品に取り付けた後のＲＦＩＤタグ１０に対して行ってもよい。
【００６０】
続いて、ＲＦＩＤリーダ６０においてＲＦＩＤタグ１０に記憶されたＲＦＩＤデータの読取指示がなされる（ステップＳ１０２）。これにより、ＲＦＩＤリーダ６０からＲＦＩＤタグ１０に対してＲＦＩＤデータの読み取り要求がなされ（ステップＳ１０３）、ＲＦＩＤタグ１０の固有のタグ固有情報ＵＩＤとＲＦＩＤデータとがＲＦＩＤリーダ６０に送信される（ステップＳ１０４）。ＲＦＩＤリーダ６０は、ＲＦＩＤタグ１０から受信したタグ固有情報ＵＩＤ及びＲＦＩＤデータを、認証サーバ３０に送信する（ステップＳ１０５）。その後、認証サーバ３０は、タグ固有情報とＲＦＩＤデータとを互いに関連付けて製品データベース（ＤＢ）３３に記憶する。
【００６１】
図７（ａ）は、製品データベース（ＤＢ）３３に記憶されたタグ固有情報及びＲＦＩＤデータを示す図である。なお、図７（ａ）は、４つのＲＦＩＤタグ１０の情報を読み取って記憶した場合の例を示している。また、図７（ａ）では、製品画像の画像データ格納アドレスが未登録の状態を示している。このようなＲＦＩＤタグ登録動作が、ＲＦＩＤタグ１０を取り付けた各製品について行われる。
【００６２】
（製品画像登録動作）
続いて、図６に示すＲＦＩＤタグ１０が取り付けられた製品画像の画像登録フェーズ２００について説明する。
図６に示すように、図示しないカメラ等により撮影された製品画像の画像データが、画像サーバ４０の画像データベース（ＤＢ）４２に記憶されるとともに、製品画像の画像データの格納アドレスが製品画像の画像データに関連付けられて記憶される（ステップＳ２０１）。図７（ｂ）は、画像データベース（ＤＢ）４２に記憶された画像データ及びその格納アドレスを示す図である。なお、図７（ｂ）は、２つの製品画像（製品Ａ画像、製品Ｂ画像）の画像データを記憶した場合の例を示している。この登録動作を、ＲＦＩＤタグ１０を貼り付ける各製品のそれぞれについて行う。
【００６３】
（製品データ更新動作）
続いて、図６に示す製品データ更新フェーズ３００について説明する。
図６に示すように、ＲＦＩＤリーダ６０に取り付けられたＲＦＩＤタグ１０のタグ固有情報ＵＩＤ及び製品情報を含むＲＦＩＤデータの読取指示がなされる（ステップＳ３０１）。これにより、ＲＦＩＤリーダ６０からＲＦＩＤタグ１０に対してタグ固有情報ＵＩＤ及びＲＦＩＤデータの読み取り要求がなされ（ステップＳ３０２）、ＲＦＩＤタグ１０のタグ固有情報ＵＩＤ及びＲＦＩＤデータがＲＦＩＤリーダ６０に送信される（ステップＳ３０３）。
【００６４】
ＲＦＩＤリーダ６０は、ＲＦＩＤタグ１０から受信したタグ固有情報ＵＩＤ及びＲＦＩＤデータを認証サーバ３０に送信する（ステップＳ３０４）。その後、認証サーバ３０は、受信したＲＦＩＤデータに基づいて、画像サーバ４０に対してＲＦＩＤタグ１０が取り付けられた製品の画像データ格納アドレスの取得要求を行う（ステップＳ３０５）。画像サーバ４０は、受信した画像データ格納アドレスの取得要求に応じて画像データベース（ＤＢ）４２から対応する画像データの格納アドレス（ＵＲＬ）を検索し（ステップＳ３０６）、認証サーバ３０に画像データの格納アドレス（ＵＲＬ）を送信する（ステップＳ３０７）。
【００６５】
認証サーバ３０は、画像サーバ４０から画像データの格納アドレス（ＵＲＬ）を受信すると、ＲＦＩＤタグ１０毎にタグ固有情報ＵＩＤと、ＲＦＩＤデータと、画像データ格納アドレス（ＵＲＬ）とを関連付けて製品データベース（ＤＢ）３３に記憶して、製品データを更新する（ステップＳ３０８）。図７（ｃ）は、製品データベース（ＤＢ）３３に記憶されたタグ固有情報ＵＩＤ、ＲＦＩＤデータ及び画像データ格納アドレスを示す図である。なお、図７（ｃ）は、４つのＲＦＩＤタグ１０に対応するタグ固有情報ＵＩＤ及びＲＦＩＤデータが記憶され、そのうち２つに対して画像データ格納アドレスが関連付られて記憶されている場合の例を示している。この登録動作を、ＲＦＩＤタグ１０を貼り付ける各製品のそれぞれについて行う。
【００６６】
（製品認証動作）
図８は、認証結果表示システム１において、製品の認証動作を示すシーケンスチャートである。
認証判定用のＵＩアプリがインストールされた移動通信端末２０において、製品の認証検査の指示がなされる（ステップＳ４０１）。このとき、移動通信端末２０の操作入力部２３から、認証結果画像に表示する認証結果表示情報、製品画像及び付加表示情報の各表示要素の配置、付加表示情報の種類の選択並びに表示色の決定及び認証結果画像の画面動作の決定等がされてもよい。
続いて、移動通信端末２０からＲＦＩＤタグ１０に対して読取要求がなされ（ステップＳ４０２）、ＲＦＩＤタグ１０固有のタグ固有情報ＵＩＤが移動通信端末２０に送信される（ステップＳ４０３）。
【００６７】
ＲＦＩＤタグ１０からタグ固有情報ＵＩＤを受信した移動通信端末２０は、受信したタグ固有情報ＵＩＤを認証サーバ３０の認証部３２１に送信する（ステップＳ４０４）。なお、認証結果画像の表示要素に自端末の端末固有情報（例えば電話番号等）を含める場合には、受信したタグ固有情報ＵＩＤとともに自端末の端末固有情報を認証サーバ３０の認証部３２１に送信する。
認証部３２１は、製品データベース３３に対してタグ固有情報ＵＩＤを送信し（ステップＳ４０５）、製品データベース３３にタグ固有情報ＵＩＤに対応する製品データが記憶されているか否かを検索し（ステップＳ４０６）、検索結果が認証部３２１に返信される（ステップＳ４０７）。
【００６８】
認証部３２１は、製品データベース３３から返信された検索結果に基づいて、ＲＦＩＤタグ１０の認証判定を行う（ステップＳ４０８）。認証部３２１は、例えば、ＲＦＩＤタグ１０のタグ固有情報ＵＩＤに対応する製品データが製品データベース３３に記憶されていない場合には認証ＮＧと判断する。また、認証部３２１は、製品データベース３３からＲＦＩＤタグ１０のタグ固有情報ＵＩＤに対応するＲＦＩＤデータ（認証用パラメータ）を取得した場合には、ＲＦＩＤデータ（認証用パラメータ）に基づいて認証判定を続ける。
【００６９】
認証判定は、一般的な方法で行うことができる。例えば、認証部３２１は、生成した乱数と製品データベース３３から取得したＲＦＩＤデータ（認証用パラメータ）とを用いて所定の演算を行い、演算結果（第１の演算結果）を得る。続いて、認証部３２１は、生成した乱数をＲＦＩＤタグ１０に送信する。ＲＦＩＤタグ１０は、認証サーバ３０が生成した乱数とＲＦＩＤタグ１０に記憶されたＲＦＩＤデータ（認証用パラメータ）とを用いて所定の演算を行い、演算結果（第２の演算結果）を得る。認証部３２１は、第１の演算結果とＲＦＩＤタグ１０から得た第２の演算結果とを比較し、第１の演算結果と第２の演算結果との照合の結果一致する場合には認証ＯＫと判断し、一致しない場合には認証ＮＧと判断する。認証サーバ３０は、認証判定の結果（認証ＯＫ又は認証ＮＧ）を画像生成部３２２に送信する（ステップＳ４０９）。
【００７０】
画像生成部３２２では、認証部３２１における判定結果に基づいて認証結果画像が生成される（ステップＳ４１０〜ステップＳ４１２）。画像生成部３２２は、認証部３２１における判定結果（認証ＯＫ又は認証ＮＧ）を判定し（ステップＳ４１０）、判定結果に基づいて、製品データベース（ＤＢ）３３に対して認証結果画像を作成するための画像取得要求を行う（ステップＳ４１１）。続いて、画像生成部３２２は、製品データベース（ＤＢ）３３から認証結果画像を作成するための画像の画像データを取得する（ステップＳ４１２）。このとき製品データベース（ＤＢ）３３から取得する画像データは、製品画像以外の表示要素の画像データである。
【００７１】
続いて、画像生成部３２２は、画像サーバ４０の画像データベース（ＤＢ）４２に対して認証結果画像を作成するための画像取得要求を行う（ステップＳ４１３）。画像生成部３２２は、製品データベース（ＤＢ）３３に記憶されたタグ固有情報ＵＩＤに基づいて、取得すべき画像の画像データ格納アドレスを検索し、当該画像データ格納アドレスにアクセスする。続いて、画像生成部３２２は、画像データベース（ＤＢ）４２から認証結果画像を作成するための画像を取得する（ステップＳ４１４）。このとき画像データベース（ＤＢ）４２から取得する画像データは、製品画像の画像データである。
ここで、認証ＮＧを示す認証結果画像は、例えば製品画像を含まなくともよい。このため、例えば製品画像を含まない認証ＮＧを示す認証結果画像を生成する場合には、ステップＳ４１３及びステップＳ４１４の製品画像データ取得動作は行われない。
【００７２】
続いて、画像生成部３２２は、取得した各画像データ（各表示要素の画像データ）を用いて認証結果画像を生成する（ステップＳ４１５）。最後に、認証サーバ３０は、生成した認証結果画像を移動通信端末２０に送信し（ステップＳ４１６）、移動通信端末２０の表示部２４に認証サーバ３０から送信された認証結果画像が表示される（ステップＳ４１７）。
【００７３】
以下、図９及び図１０により、認証結果画像の生成方法をより詳細に説明する。
図９は、画像生成部３２２における認証結果画像の生成方法を詳細に示すフローチャートである。図９に示すフローチャートは、図８のステップＳ４１０からステップＳ４１５に該当する。
図９に示すように、画像生成部３２２は、認証部３２１から認証結果を取得すると、認証結果が認証ＯＫであるか認証ＮＧであるかを判定する（ステップＳ１、図８のステップＳ４１０に該当）。続いて、画像生成部３２２は、背景の画像データを準備し、また、認証部３２１は、「認証ＯＫ」「ＯＫ」「ＮＧ」等の認証結果表示情報、並びに必要に応じて認証日及び認証時間等の付加表示情報を示す文言の画像データを準備する（ステップＳ２、Ｓ１３、図８のステップＳ４１１、Ｓ４１２に該当）。
【００７４】
認証結果画像に付加表示情報が含まれる場合、背景としては、例えば、端末固有情報として認証サーバ３０に送信された、移動通信端末２０の時計部２５で検出された認証時刻及び位置検出部２６で検出された位置情報に基づいて、該当する画像が選択されてもよい。例えば、認証時刻が夜であり、位置情報がエジプトである場合には、エジプトのランドマークであるピラミッドの画像を用いた夜のピラミッドの画像が背景画面として選択される。
【００７５】
さらに、画像生成部３２２は、認証部３２１から認証結果が認証ＯＫである場合には（ステップＳ４のＹｅｓ）、画像サーバ４０に対して製品画像の取得要求を行う（ステップＳ５、図８のステップＳ４１３に該当）。画像サーバ４０から製品画像を取得すると（ステップＳ６のＹｅｓ）、画像生成部３２２は、認証ＯＫであることを示す認証結果表示情報と製品画像とを少なくとも含む認証結果画像を生成する（ステップＳ７、図８のステップＳ４１５に該当）。
【００７６】
さらに、画像生成部３２２は、画像サーバ４０に対して製品画像の取得要求を行い（ステップＳ５、図８のステップＳ４１３に該当）、画像サーバ４０から製品画像を取得できない場合には（ステップＳ６のＮｏ）、画像生成部３２２は、認証ＮＧであることを示す認証結果画像を生成する（ステップＳ８、図８のステップＳ４１５に該当）。
また、画像生成部３２２は、認証部３２１から受信した認証結果が認証ＮＧである場合には（ステップＳ４のＮｏ）、画像サーバ４０から製品画像を取得することなく、準備した表示要素の画像データにより認証ＮＧであることを示す認証結果画像を生成する（ステップＳ８、図８のステップＳ４１５に該当）。
【００７７】
図１０は、認証結果画像の加工方法を示すフローチャートである。図１０に示すフローチャートは、図８のステップＳ４１５及び図９のステップＳ７、Ｓ８において認証結果画像を加工する具体的な方法である。
図１０に示すように、画像生成部３２２は、まず背景画面を決定する（ステップＳ１１）。具体的には、図９のステップＳ１２で準備された背景を背景画像として決定する。続いて、認証結果画像に表示される表示要素が決定される（ステップＳ１２）。表示要素は、認証ＯＫ又は認証ＮＧを示す認証結果表示情報及び製品画像の他に、上述した付加表示情報の少なくとも１つが選択されてもよい。
認証結果画像に表示される表示要素の配置位置が決定される（ステップＳ１３）。表示要素の配置位置は、予め設定された表示位置に所定の表示要素が位置するように決定される。また、ユーザによって各表示要素毎に表示位置が指定された場合には、各表示要素が指定の位置に表示される。
【００７８】
背景画面、表示要素及び表示要素の配置が決定されると（ステップＳ１１〜Ｓ１３）、決定された条件に従って認証結果画像の加工処理が行われる（ステップＳ１４）。このとき、表示要素の配置位置に応じて、表示要素同士の重なる部分の表示色が、加法混色若しくは減法混色、又は独自の合成アルゴリズムに基づいて処理される。これにより、例えば認証結果画像の第１の例〜第４の例のように各表示要素を配置して、図２〜図５に示す認証結果画像５１〜５４のような認証結果画像を作成する。
最後に、画面動作が決定される（ステップＳ１５）。認証結果画像として通常画像と反転画像とを交互に出力する場合には、ステップＳ１４において反転画像の作成を行っておき、通常画像と反転画像とを交互に表示する画像ファイルを作成する。
【００７９】
なお、図１１に示すように、認証結果画像を作成した際に、作成した認証結果画像の画像データと、画像データに関連付けられた画像データ有効期限を保存してもよい。画像データ有効期限は、例えば認証結果画像作成時から所定時間経過後の時間である。ＲＦＩＤタグ１０が取り付けられた製品に対する認証動作が短時間で再度行われた場合、認証サーバ３０は、画像サーバ４０から製品画像を取得し、新たに認証結果画像を生成することなく、保存された有効な認証結果画像を移動通信端末２０に送信する。これにより、認証サーバ３０及び画像サーバ４０間の通信の負荷を低減するとともに、認証サーバ３０内で認証結果画像の生成にかかる負荷を低減することができる。
また、認証結果画像の画像データ有効期限が過ぎていた場合には、新たに認証結果画像を作成して再度保存することにより、認証結果画像を更新する。
【００８０】
＜認証結果表示プログラム＞
第１の実施形態に係る認証結果表示プログラムは、認証結果表示装置である移動通信端末２０にインストールされた認証判定用のＵＩアプリであり、移動通信端末２０を、取り付けられる製品に対応したＲＦＩＤデータ及びＲＦＩＤデータに関連付けられたタグ固有情報を記憶するＲＦＩＤタグ１０からタグ固有情報を読み出すＲＦＩＤリーダ２１と、ＲＦＩＤリーダ２１で読み出されたタグ固有情報に基づいてＲＦＩＤタグ１０が取り付けられた製品が正規の製品であるか否かの認証の結果を示す認証結果表示情報及び製品画像を含む表示要素を含んで生成された認証結果画像を表示する表示部２４と、として機能させる。
【００８１】
＜第１の実施形態の効果＞
以上説明した本発明の第１実施形態に係る認証結果表示装置、認証結果表示システム及び認証結果表示プログラムによれば、以下の効果を得ることができる。
（１）正規のＵＩアプリにおける認証結果画像中に認証の結果を示す情報のみでなく製品の画像が含まれているため、ユーザが認証対象の商品を認識しやすく、かつ手軽に正規品の検査を行うことができる。
【００８２】
（２）正規のＵＩアプリにおける認証結果画像中に製品画像を含めることにより、正規品から取り外されたタグが偽造品等に取り付けられ、タグの情報だけでは認証ＯＫと判断するような場合でも、製品画像が実際の製品の外観と異なるためユーザが所定の製品に対しての認証がなされているかを判断することができる。
（３）正規のＵＩアプリにおける認証結果画像中に、さらに製品の認証を行ったときの状況に応じて変化する認証状況情報（認証日、認証時刻、認証場所等）を含めることで、正規のＵＩアプリの認証結果画像のキャプチャ画像をそのまま利用して偽造ＵＩアプリを作成することが困難となる。
【００８３】
（４）正規のＵＩアプリの認証結果画像のキャプチャ画像をそのまま利用した偽造ＵＩアプリの認証結果画像は、実際の認証時とは異なる認証日、認証時間及び認証場所を含む可能性が高く、ユーザが認証結果に対して違和感を持ちやすくなる。
（５）正規のＵＩアプリにおける認証結果画像中で認証結果表示情報、製品画像及び付加表示情報等の表示要素が重なって配置された場合、正規のＵＩアプリの認証結果画像のキャプチャ画像から各表示要素の重なる前の画像をそれぞれ抜き出すことが困難であるため、偽造ＵＩアプリの作成に手間がかかり、正規のＵＩアプリの偽造が困難となる。
【００８４】
（６）正規のＵＩアプリにおける認証結果画像中で認証状況情報や端末固有情報等の付加表示情報と認証結果表示情報とが重なり、かつ認証結果表示情報が付加表示情報の前面に配置された場合、正規のＵＩアプリの認証結果画像のキャプチャ画像から認証結果表示情報のみを抜き出すことが困難となる。また、偽造ＵＩアプリにおいて正規のＵＩアプリと同様の認証結果画像を作成するためには、背景画面と認証結果画像との間に付加表示情報を表示させる加工が必要となるため、偽造ＵＩアプリの作成に手間がかかり、正規のＵＩアプリの偽造がより困難となる。
【００８５】
（７）正規のＵＩアプリにおける認証結果画像中で認証状況情報や端末固有情報等の付加表示情報と認証結果表示情報とが重なり、かつ付加表示情報が認証結果表示情報の前面に配置された場合、認証結果画像において認証結果表示情報の一部（付加表示情報と重なっている部分）の画像の輪郭が不明であるため、認証結果表示情報を復元することが困難である。このため、偽造ＵＩアプリの作成に手間がかかり、正規のＵＩアプリの偽造がさらに困難となる。
【００８６】
（８）正規のＵＩアプリにおける認証結果画像中で認証結果表示情報と付加表示情報又は複数の付加表示情報同士が重なって表示された部分の表示色を、認証結果表示情報及び付加表示情報のそれぞれの表示色とは異なる色で表示する場合、一部の表示色が変更された認証結果画像から元の表示色の認証結果表示情報の画像のみを復元することは困難である。このため、偽造ＵＩアプリの作成に手間がかかり、正規のＵＩアプリの偽造がさらに困難となる。
（９）ＵＩアプリがインストールされる移動通信端末内に認証結果画像作成用の画像が記憶されていないため、移動通信端末から認証結果画像作成用の画像を抜き出すことができず、正規のＵＩアプリの偽造が困難となる。
【００８７】
＜＜第２の実施形態＞＞
図１２及び図１３を参照して、第２の実施形態を説明する。なお、図１２及び図１３において、第１の実施形態で説明した図１から図１１と共通する部分には同一の符号を付す。
第２の実施形態では、認証結果表示装置外の認証サーバにおける認証結果に基づいて、認証結果表示装置で認証結果画像を生成して表示する構成について説明する。
第２の実施形態では、非接触タグとしてＲＦＩＤタグを用い、認証結果表示装置として、認証判定用のＵＩアプリがインストールされた移動通信端末を用いる。
【００８８】
＜認証結果表示システムの構成＞
図１２は、第２の実施形態における認証結果表示システム１０１の機能を説明するための機能ブロック図である。
認証結果表示システム１０１の移動通信端末１２０は、ＲＦＩＤリーダ２１、通信部２２、操作入力部２３、表示部２４、時計部２５、位置検出部２６、記憶部２７及び制御部２８に加えて、画像生成部２９を備える点で第１の実施形態の移動通信端末２０と異なる。移動通信端末１２０の画像生成部２９は、第１の実施形態の画像生成部３２２と同様に、認証部３２１の判定結果に基づいて認証結果画像を生成する。
また、認証結果表示システム１０１の認証サーバ１３０は、認証判定部１３２が、認証部３２１を備え、画像生成部を備えていない点で第１の実施形態の認証サーバ３０と異なる。
画像サーバ４０は、第１の実施形態と同様の構成を有している。
【００８９】
＜認証結果表示システムの動作＞
（ＲＦＩＤタグ登録動作、製品画像登録動作及び製品データ更新動作）
第２の実施形態におけるＲＦＩＤタグ登録動作、製品画像登録動作及び製品データ更新動作は、第１の実施形態におけるＲＦＩＤタグ登録動作（図６に示すステップＳ１０１からステップＳ１０６）、製品画像登録動作（図６に示すステップＳ２０１）及び製品データ更新動作（図６に示すステップＳ３０１からステップＳ３０８）と同一である。このため、第２の実施形態における製品データ登録動作、製品画像登録動作及び製品データ更新動作についての詳細な説明を省略する。
【００９０】
（製品認証動作）
図１３は、認証結果表示システム１０１において、製品の認証動作を示すシーケンスチャートである。
移動通信端末１２０において製品の認証検査の指示がなされると（ステップＳ５０１）、移動通信端末１２０からＲＦＩＤタグ１０に対して読取要求がなされ（ステップＳ５０２）、ＲＦＩＤタグ１０固有のタグ固有情報ＵＩＤが移動通信端末１２０に送信される（ステップＳ５０３）。
【００９１】
ＲＦＩＤタグ１０からタグ固有情報ＵＩＤを受信した移動通信端末１２０は、受信した
タグ固有情報ＵＩＤを認証サーバ１３０の認証部３２１に送信する（ステップＳ５０４）。認証部３２１は、製品データベース３３に対してタグ固有情報ＵＩＤを送信し（ステップＳ５０５）、製品データベース３３にタグ固有情報ＵＩＤに対応する製品データが記憶されているか否かを検索し（ステップＳ５０６）、検索結果が認証部３２１に返信される（ステップＳ５０７）。
【００９２】
認証部３２１は、認証部３２１に返信された検索結果に基づいて認証判定を行う（ステップＳ５０８）。なお、ステップＳ５０８における認証判定は、第１の実施形態の認証判定（ステップＳ４０８）と同様の方法を用いることができる。
【００９３】
認証サーバ１３０は、認証判定の結果を移動通信端末１２０の画像生成部２９に送信する（ステップＳ５０９）。
画像生成部２９では、認証部３２１における判定結果に基づいて認証結果画像が生成される（ステップＳ５１０〜ステップＳ５１２）。画像生成部２９は、認証部３２１における判定結果（認証ＯＫ又は認証ＮＧ）を判定し（ステップＳ５１０）、判定結果に基づいて、製品データベース（ＤＢ）３３に対して製品画像以外の表示要素の画像データの取得要求を行う（ステップＳ５１１）。続いて、画像生成部２９は、製品データベース（ＤＢ）３３から製品画像以外の表示要素の画像データを取得する（ステップＳ５１２）。
【００９４】
続いて、画像生成部２９は、画像サーバ４０の画像データベース（ＤＢ）４２に対して認証結果画像を作成するための画像取得要求を行う（ステップＳ５１３）。画像生成部２９は、製品データベース（ＤＢ）３３に記憶されたタグ固有情報ＵＩＤに基づいて、取得すべき画像の画像データ格納アドレスを検索し、当該画像データ格納アドレスにアクセスする。続いて、画像生成部２９は、画像データベース（ＤＢ）４２から製品画像の画像データを取得する（ステップＳ５１４）。
ここで、認証ＮＧを示す認証結果画像を生成する場合には、ステップＳ５１３及びステップＳ５１４の製品画像データ取得動作は行われない。
【００９５】
続いて、画像生成部２９は、取得した各画像データ（各表示要素の画像データ）を用いて認証結果画像を生成する（ステップＳ５１５）。認証結果画像は、第１の実施形態で説明した方法で生成される。最後に、画像生成部２９は、生成した認証結果画像を移動通信端末２０内のＵＩアプリに送信し（ステップＳ５１６）、表示部２４に認証結果画像が表示される（ステップＳ５１７）。
【００９６】
＜第２の実施形態の効果＞
以上説明した本発明の第２実施形態に係る認証結果表示装置、認証結果表示システム及び認証結果表示プログラムによれば、第１の実施形態の（１）〜（９）と同様の効果を得ることができる。
本発明は、以上に記載した実施形態やその変形例に限定されるものではない。当業者の知識に基づいて実施形態やその変形例に設計の変更等を加えてもよく、また、実施形態やその変形例を任意に組み合わせてもよく、そのような変更等を加えた態様も本発明の技術的範囲に含まれる。
【００９７】
例えば、認証結果表示システムの構成は上述の第１の実施形態及び第２の実施形態のいずれかに記載の構成に限られたものでなく、タグ固有情報に基づく認証の結果である認証結果表示情報と、タグ固有情報と関連付けられた製品画像と、を含む認証結果画像を生成することができればどのような装置、システムであってもよい。例えば、第１の実施形態及び第２の実施形態では、移動通信端末によってＲＦＩＤタグの読み取りを行う例が記載されているが、これに限ったものではなく、専用のＲＦＩＤリーダを用いる場合にも適用可能である。
【符号の説明】
【００９８】
１，１０１  認証結果表示システム
１０  ＲＦＩＤタグ
２１  ＲＦＩＤリーダ
２２  通信部
２３  操作入力部
２４  表示部
２５  時計部
２６  位置検出部
２７  記憶部
２８  制御部
２９  画像生成部
３０，１３０  認証サーバ
３１  通信部
３２，１３２  認証判定部
３２１  認証部
３２２  画像生成部
３３  製品データベース
３４  制御部
４０  画像サーバ
４１  通信部
４２  画像データベース
４３  制御部
５１，５２，５３，５４  認証結果画像
５１ａ，５２ａ，５３ａ，５４ａ  認証結果表示情報
５１ｂ，５２ｂ，５３ｂ，５４ｂ  背景
５１ｃ，５２ｃ，５３ｃ，５４ｃ  製品画像
５３ｄ、５４ｄ  認証日
５３ｅ，５４ｅ  電話番号
６０  ＲＦＩＤリーダ
【図１】
2016218526.tif 000003
【図２】
2016218526.tif 000004
【図３】
2016218526.tif 000005
【図４】
2016218526.tif 000006
【図５】
2016218526.tif 000007
【図６】
2016218526.tif 000008
【図７】
2016218526.tif 000009
【図８】
2016218526.tif 000010
【図９】
2016218526.tif 000011
【図１０】
2016218526.tif 000012
【図１１】
2016218526.tif 000013
【図１２】
2016218526.tif 000014
【図１３】
2016218526.tif 000015